(57)【要約】【課題】複数の映像を同時に表示させるとき、どの入力信号が同時に表示させることができるかを容易に把握することを課題とする。【解決手段】  映像信号に基づく映像を表示する映像表示装置であって、複数の映像信号供給装置からそれぞれ前記映像信号が入力される複数の入力部と、前記複数の入力部に入力させる映像信号があって複数の映像を表示させるとき、表示領域を分割させてそれぞれ表示させる光変調部と、前記複数の入力部に入力があるか否かを検出する信号検出部と、前記信号検出部の検出結果に基づき複数の表示領域に分割させて表示させることができる入力の組み合わせを判断する入力組み合わせ判断部と、前記入力組み合わせ判断部の判断結果に基づき複数の表示領域に分割させて表示させることができる入力組み合わせをユーザに報知する報知手段と、を備える映像表示装置とすることである。【選択図】図１
2011176717.tif 000002
【特許請求の範囲】
【請求項１】
映像信号に基づく映像を表示する映像表示装置であって、
複数の映像信号供給装置からそれぞれ前記映像信号が入力される複数の入力部と、
前記複数の入力部に入力させる映像信号があって複数の映像を表示させるとき、表示領域を分割させてそれぞれ表示させる光変調部と、
前記複数の入力部に入力があるか否かを検出する信号検出部と、
前記信号検出部の検出結果に基づき複数の表示領域に分割させて表示させることができる入力の組み合わせを判断する入力組み合わせ判断部と、
前記入力組み合わせ判断部の判断結果に基づき複数の表示領域に分割させて表示させることができる入力組み合わせをユーザに報知する報知手段と、
を備える映像表示装置。
【請求項２】
前記入力組み合わせ判断部が複数の組み合わせがあると判断したときには、前記複数の組み合わせを前記報知手段によって報知することを特徴とする請求項１に記載の映像表示装置。
【請求項３】
前記報知手段は、前記複数の入力部のそれぞれに対応付けられた発光素子により報知されることを特徴とする請求項２に記載の映像表示装置。
【請求項４】
前記発光素子は、前記複数の入力部に関連付けられて配されることを特徴とする請求項３に記載の映像表示装置。
【請求項５】
前記報知手段は、表示される前記映像に重畳させてＯＳＤ（on screen display）表示させることを特徴とする請求項１及び請求項２に記載の映像表示装置。
【発明の詳細な説明】
【技術分野】
【０００１】
この発明は、映像表示装置において、複数の映像を同時に表示可能な映像表示装置に関する。
【背景技術】
【０００２】
近年、映像表示装置においては、複数の種類の入力端子を備えるようになっており、様々な映像信号供給装置（外部映像機器）が接続可能になっている。映像表示装置に複数の映像信号供給装置から映像信号が入力されているときには、複数の映像信号のうちの特定の映像信号に基づく映像を画面の全体に単独で表示させる１画面表示モードと、複数の映像信号のうちの特定の２つの映像信号に基づく映像を１つの画面内に表示させる２画面表示モードとを切替えることができるようになっている（特許文献１）。
【先行技術文献】
【特許文献】
【０００３】
【特許文献１】特開２００９-１８０９４３号公報
【発明の概要】
【発明が解決しようとする課題】
【０００４】
しかしながら、従来の映像表示装置では、映像供給装置から入力された映像信号を信号処理するＡ／Ｄコンバータ又はデジタルレシーバーが入力された映像信号と同数あるとは限らず、共通のＡ／Ｄコンバータ又はデジタルレシーバーで複数の映像信号を処理するものもある。このような構成の映像表示装置は、２画面表示できる入力信号の組み合わせが制限されることとなり、ユーザが２画面表示を選択するとき複数の映像信号供給装置から映像信号を入力したときにどの映像信号の組み合わせが２画面表示させることができるかユーザが即座に判断することが難しい。実際にどの映像信号の組み合わせが２画面表示させることができるかを判断するには、映像表示装置のメニュー画面を表示させて２画面表示可能かを確認するか取扱説明書等を確認しないと判断することができなかった。
【０００５】
そこで本発明は、この課題を解決するためになされたものであり、複数の映像を同時に表示させるとき、どの入力信号が同時に表示させることができるかを容易に把握できるようにすることを課題とする。
【課題を解決するための手段】
【０００６】
上記課題を解決するため、本願の映像表示装置は、映像信号（例えばＤＶＩ（登録商標）信号、ＨＤＭI（登録商標）信号、ＲＧＢアナログ映像信号、Ｖｉｄｅｏ信号）に基づく映像を表示する映像表示装置（例えばＤＶＤ再生装置、Ｂｌｕ−Ｒａｙ（登録商標）ディスク再生装置、ＰＣ、ＶＴＲ）であって、複数の映像信号供給装置からそれぞれ映像信号が入力される複数の入力部（例えば入力端子１１〜１４）と、前記複数の入力部に入力させる映像信号があって複数の映像を表示させるとき、表示領域を分割させてそれぞれ表示させる光変調部と、前記複数の入力部に入力があるか否かを検出する信号検出部（例えば切替入力部７５）と、前記信号検出部の検出結果に基づき複数の表示領域に分割させて表示させることができる入力の組み合わせを判断する入力組み合わせ判断部（例えば制御部４０）と、前記入力組み合わせ判断部の判断結果に基づき複数の表示領域に分割させて表示させることができる入力組み合わせを報知する報知手段（例えばＬＥＤ１Ｌ〜４Ｌ）と、を備える。
【０００７】
上記手段において、前記入力組み合わせ判断部が複数の組み合わせがあると判断したときには、前記複数の組み合わせを前記報知手段によって報知することを特徴としてもよい。
【０００８】
上記手段において、前記報知手段は、前記複数の入力部のそれぞれに対応付けられた発光素子（例えばＬＥＤ１Ｌ〜４Ｌ）により報知されることを特徴としてもよい。
【０００９】
上記手段において、前記発光素子は、前記複数の入力部に関連付けられて配されることを特徴としてもよい。
【００１０】
上記手段において、前記報知手段は、表示される前記映像に重畳させてＯＳＤ（on screen display）表示させることにより報知を行うことを特徴としてもよい。
【発明の効果】
【００１１】
この発明によれば、複数の映像を同時に表示させるとき、どの入力信号が同時に表示させることができるかを容易に把握することできる。
【図面の簡単な説明】
【００１２】
【図１】第１実施形態に係るプロジェクタにより映像を投写するときの周辺装置の構成を説明する図である。
【図２】第１実施形態に係るプロジェクタの構成を説明するブロック図である。
【図３】第１実施形態に係る２画面表示モードの実行時におけるプロジェクタの表示映像の一例を説明する図である。
【図４】第１実施形態に係る２画面表示可能か報知するときのプロジェクタの動作を説明するためのフローチャートである。
【図５】第１実施形態に係る入力部に配されるＬＥＤの点灯例を示した図である。
【図６】第１実施形態に係る入力部に配されるＬＥＤの点灯例を示した図である。
【図７】第１実施形態に係る入力部に配されるＬＥＤの点灯例を示した図である。
【図８】第１実施形態に係る入力部に配されるＬＥＤの点灯例を示した図である。
【発明を実施するための形態】
【００１３】
以下において、本発明の映像表示装置として投写型映像表示装置（以下「プロジェクタ」と記載する）に係る図面を参照しながら説明する。尚、以下の図面の記載において、同一又は類似の部分には、同一又は類似の符号を付している。
【００１４】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１５】
［第１実施形態］
以下において、第１実施形態に関して図１〜図４を参照しながら説明する。
【００１６】
図１は、第１実施形態に係るプロジェクタにより映像を投写するときの周辺装置の構成を説明する図である。
【００１７】
図１を参照して、プロジェクタ１は、液晶デバイスを利用して映像を拡大投写する液晶プロジェクタであって、液晶デバイスにより表示される映像の光をスクリーンＳＣに投写することにより、映像を投写する。投写面は、スクリーンＳＣに限定されず、壁面やその他の平面又は曲面であってもよい。
【００１８】
プロジェクタ１は、ユーザが操作するリモコン（リモートコントローラの略）４から送信される赤外線変調されたリモコン信号を受信する受光部６６と、入力部９とを備える。リモコン信号には、プロジェクタ１を遠隔制御するためのコマンド信号が含まれる。  
【００１９】
尚、プロジェクタ１を制御するのはリモコン信号だけでなく、プロジェクタ１の本体に設けられた複数の操作用ボタンを有する操作部６８（図２参照）からの信号によってもコマンド信号を受け付けることができる。
【００２０】
入力部９は、複数の入力端子を含み、各入力端子からは異なる種類の映像信号を入力することが可能である。尚、第１実施形態では、一例として、入力部９は、４個の入力端子１１〜１４を含むものと想定する。
【００２１】
入力部９には、デジタル伝送路とアナログ伝送路とが接続される。デジタル伝送路は、ＤＶＩ（Digital Visual Interface）準拠の通信ケーブル３Ａと、ＨＤＭＩ（High Definition Multimedia Interface）準拠の通信ケーブル３Ｂ等が含まれる。
【００２２】
通信ケーブル３Ａは、入力部９の入力端子１１に接続され、外部の映像信号供給装置とプロジェクタ１との間でＤＶＩ規格に従って映像信号を伝送する。ＤＶＩ規格の映像信号（以下、「ＤＶＩ信号」ともいう）を供給する映像信号供給装置としては、ＤＶＤ再生装置、Ｂｌｕ−Ｒａｙディスク再生装置などのデジタル信号を出力する映像信号供給装置が含まれる。
【００２３】
通信ケーブル３Ｂは、入力部９の入力端子１２に接続され、外部の映像信号供給装置とプロジェクタ１との間でＨＤＭＩ規格に従って映像信号を伝送する。ＨＤＭＩ規格の映像信号（以下、「ＨＤＭＩ信号」ともいう）を供給する映像信号供給装置としては、ＤＶＤ再生装置、Ｂｌｕ−Ｒａｙディスク再生装置などのデジタル信号を出力する映像信号供給装置が含まれる。
【００２４】
アナログ伝送路は、複数の通信ケーブル７Ａ，７Ｂを含む。各伝送路は、映像信号供給装置とプロジェクタ１との間で信号を伝送する。アナログ信号を供給する映像信号供給装置としては、ＰＣ（Personal Computer）、ＶＴＲ（Videotape Recorder）などのアナログ信号を出力する映像信号供給装置が含まれる。
【００２５】
入力端子１３は、例えば、ＲＧＢ端子であり、ＰＣから供給されるＲＧＢアナログ信号に対応する。入力端子１４は、例えば、Ｖｉｄｅｏ端子であり、ＶＴＲから供給されるＶｉｄｅｏ信号に対応する。
【００２６】
各入力端子１１〜１４の近傍には、ＬＥＤ１Ｌ〜４Ｌが配されており、ＬＥＤ１Ｌ〜４Ｌに入力信号があると点灯する。ＬＥＤ１Ｌは、入力端子１１の近傍に配されており、入力端子１１が２画面表示可能なときに点灯する。ＬＥＤ２Ｌは、入力端子１２の近傍に配されており、入力端子１２が２画面表示可能なときに点灯する。ＬＥＤ３Ｌは、入力端子１３の近傍に配されており、入力端子１３が２画面表示可能なときに点灯する。ＬＥＤ４Ｌは、入力端子１４の近傍に配されており、入力端子１４が２画面表示可能なときに点灯する。すなわち、ＬＥＤ１Ｌ〜４Ｌは、入力端子１１〜１４にそれぞれ関連付けられており、ＬＥＤ１Ｌ〜４Ｌを２か所同時に点灯させることにより、どの入力端子の組み合わせが２画面表示させることができるのかユーザに報知させることができる。
【００２７】
尚、ＬＥＤ１Ｌ〜４Ｌは、入力端子１１〜１４の近傍に配されたがこれに限るものではなく、入力端子１１〜１４から離れた位置にＬＥＤ１Ｌ〜４Ｌを配してもよい。このとき、ＬＥＤ１Ｌ〜４Ｌが入力端子１１〜１４と関連付けられているという趣旨の表示をＬＥＤ１Ｌ〜４Ｌの近傍に記載した方が好ましい。さらに、ＬＥＤ１Ｌ〜４Ｌが入力端子１１〜１４と関連付けられているという趣旨の表示は、取扱説明書等に記載されてもよい。
【００２８】
また、説明を簡単にするため、各映像信号供給装置から送信される信号は映像信号であると想定する。映像信号とともに音声信号も伝送されるが、説明を簡単にするために、音声信号の伝送及びプロジェクタ１における音声信号処理の説明は略す。
【００２９】
（プロジェクタの構成）
図２は、第１実施形態に係るプロジェクタの構成を説明するブロック図である。
【００３０】
以下プロジェクタの構成に係る説明を図２を参照して行う。プロジェクタ１は、ＬＥＤ１Ｌ〜４Ｌと、入力端子１１〜１４と、ＤＶＩレシーバ２１と、ＨＤＭＩレシーバ２２と、Ａ／Ｄコンバータ２３と、入力選択部３０と、スケーリング部３２，３４と、映像調整部４２，４４と、合成部４６と、液晶表示駆動部５０と、光学系５２と、制御部４０と、保存部６０と、ＯＳＤメモリ６２と、操作受付部６４と、受光部６６と、操作部６８と、を備える。
【００３１】
ＤＶＩレシーバ２１は、入力端子１１で受信したデジタル映像信号（ＤＶＩ信号）を受信処理し、処理後の信号を入力選択部３０に出力する。具体的には、ＤＶＩレシーバ２１は、ＨＤＣＰ（High Definition Multimedia Interface）に従う認証機能及び暗号の復号機能を有している。ＨＤＣＰは、ＤＶＩに従って伝送されるデータの暗号化を実現するために用いられる。これにより、デジタル伝送路上を伝送される映像信号などのコンテンツが不正にコピーされるのを防止できる。
【００３２】
ＨＤＣＰによる伝送データ・信号の保護は、まず、送信側（ＤＶＤ再生装置）は受信側（プロジェクタ１）と双方向に通信して相互認証のための情報をやり取りする。当該情報に基づき送信側（ＤＶＤ再生装置）は受信側（プロジェクタ１）を認証する。認証の結果、受信側（プロジェクタ１）を認証できたときには、送信側（ＤＶＤ再生装置）は予め共通に有した鍵を用いてデジタル映像信号を暗号化し、デジタル伝送路を介して受信側（プロジェクタ１）に送信する。受信側（プロジェクタ１）は、予め共有している鍵を用いて暗号を復号する。送信側（ＤＶＤ再生装置）が、受信側（プロジェクタ１）を認証できないときには、送信側（ＤＶＤ再生装置）は受信側へのデジタル映像信号の送信を拒否するので、受信側（プロジェクタ１）に対して映像信号は送信されない。
【００３３】
ＨＤＭＩレシーバ２２は、入力端子１２で受信したＨＤＭＩ信号を受信処理し、処理後の信号を入力選択部３０に出力する。ＨＤＭＩレシーバ２２は、上述したＤＶＩレシーバ２１と同様に、ＨＤＣＰに従う認証機能及び暗号の復号機能を有している。
【００３４】
Ａ／Ｄコンバータ２３は、入力端子１３又は入力端子１４で受信したＲＧＢアナログ映像信号又はＶｉｄｅｏ信号をＡ／Ｄ変換し、デジタル映像信号として入力選択部３０に出力する。このＡ／Ｄ変換は、映像信号に各種の信号処理を施すために行なわれる。
【００３５】
入力選択部３０は、ＤＶＩレシーバ２１の出力するＤＶＩ信号を入力する第１入力部７１と、ＨＤＭＩレシーバ２２の出力するＨＤＭＩ信号を入力する第２入力部７２と、Ａ／Ｄコンバータ２３の出力するデジタル信号を入力する第３入力部７３とを含む。また、入力選択部３０は、制御部４０から与えられる切替信号を入力する切替入力部７５と、第１スケーリング部３２が接続される第１出力端子７６と、第２スケーリング部３４が接続される第２出力端子７７とを含む。
【００３６】
入力選択部３０は、各入力部７１〜７３の同期信号を検出することにより、各入力部７１〜７３からどのような種類の入力信号が入力されているかを特定し、各入力端子１１〜１４のどの入力端子に入力信号が入力されているかを検出する。その検出結果は、制御部４０へ供給される。また、制御部４０からは、各入力部７１〜７３のうちから２つの入力部を選択し、第１及び第２出力端子７６，７７へ出力する信号の切替を行う切替信号が供給される。入力選択部３０は、その切替信号により２つの入力部と第１及び第２出力端子７６，７７とをそれぞれ接続することにより、２つの入力部が入力する映像信号を、第１及び第２出力端子７６，７７を介して第１及び第２スケーリング部３２，３４にそれぞれ供給する。
【００３７】
第１スケーリング部３２は、単一の映像信号に基づく映像を表示部に表示させる１画面表示モードでの表示解像度を基準（以下、「基準表示サイズ」ともいう）として、制御部４０からの指示に従い、基準表示サイズ若しくは基準表示サイズより小さな予め設定される所望のサイズに映像信号の解像度を変換処理する。
【００３８】
また、プロジェクタ１が１画面表示モードから２画面表示モードに切替わったときには、第１スケーリング部３２は、制御部４０からの指示に従って、２画面表示されるそれぞれの解像度（例えば図３の映像１及び映像２の解像度）の中で、どちらか一方（例えば図３の映像１）の表示サイズに映像信号の解像度を変換処理する。この解像度変換処理によって、第１スケーリング部３２は、２画面表示される映像の中でどちらか一方の映像の解像度を有する表示用の映像データを生成し、生成された映像データは、第１映像調整部４２に供給される。
【００３９】
第２スケーリング部３４は、制御部４０からの指示に従い、基準表示サイズ若しくは基準表示サイズより小さな予め設定される所望のサイズに映像信号の解像度を変換処理する。
【００４０】
また、プロジェクタ１が１画面表示モードから２画面表示モードに切替わったときには、第２スケーリング部３４は、制御部４０からの指示に従って、第１スケーリング部が生成しないもう一方の画面（例えば図３の映像２）の表示サイズに映像信号の解像度を変換処理する。この解像度変換処理によって、第２スケーリング部３４は、２画面表示される映像の中で第１スケーリング部３２が生成する映像データではない方の映像を表す映像データを生成し、生成された映像データは、第２映像調整部４４に供給される。
【００４１】
尚、１画面表示モードが選択されたとき、１画面で表示されるのは第１スケーリング部３２から供給される映像信号か第２スケーリング部３４から供給される映像信号かは、ユーザが任意に選択できるものである。
【００４２】
第１映像調整部４２は、第１スケーリング部３２から映像データを受けると、制御部４０からの指示に従って、該映像データに基づく映像の表示態様を調整する。第１映像調整部４２が調整する映像の表示態様には、映像の表示画質が含まれる。第１映像調整部４２は、映像データの輪郭、輝度、濃度、色相、彩度及びコントラストのうち少なくとも１つのパラメータを調整することにより、映像の表示画質を調整する。
【００４３】
第２映像調整部４４は、第２スケーリング部３４から映像データを受けると、制御部４０からの指示に従って、該映像データに基づく映像の表示態様を調整する。第２映像調整部４４が調整する映像の表示態様には、映像の表示画質が含まれる。第２映像調整部４４は、映像データの輪郭、輝度、濃度、色相、彩度及びコントラストのうち少なくとも１つのパラメータを調整することにより、映像の表示画質を調整する。
【００４４】
第１映像調整部４２及び第２映像調整部４４によって映像の表示画質が調整された映像データは、合成部４６に供給させる。合成部４６は、２画面表示モードの実行中に与えられる２つの映像データに基づき、１フレーム分のデジタルの映像信号を合成する。合成して得られた１フレーム分の映像信号は、図示しないＤＡＣ（Digital Analog Converter）によってアナログ信号に変換され、変換後の信号を液晶表示駆動部５０に出力する。尚、合成部４６は、映像調整部４２若しくは映像調整部４４のどちらか一方のみからだけ映像信号が供給されたとき、供給された映像信号をそのまま液晶表示駆動部５０に出力する。
【００４５】
合成部４６は、さらにＯＳＤメモリ６２から入力されるＯＳＤ情報も液晶表示駆動部５０に出力される映像に合成する。尚、ＯＳＤメモリ６２から合成すべきＯＳＤ情報が入力されないときには、合成部４６は、１フレーム分の映像信号をそのまま液晶表示駆動部５０に出力する。
【００４６】
ＯＳＤメモリ６２は、不揮発性のメモリであり、ＯＳＤに用いられるプロジェクタ１の運転状態を表す画面や各種文字パターン、ユーザへ報知すべき内容などを記憶している。
【００４７】
液晶表示駆動部５０、光学系５２及びランプ（図示せず）は、ＤＡＣから供給される映像信号に従って、制御部４０の制御の下に、スクリーンＳＣに映像を表示するための「表示部」に相当する。
【００４８】
制御部４０は、ＣＰＵ（Central Processing Unit）であり、バスラインを介して、予め決められた各部との信号のやり取りを行なう。また、ユーザの指令として操作受付部６４からの操作信号を受け付け、この操作信号に従って各部の動作を制御する。
【００４９】
制御部４０は、入力選択部３０から各入力端子１１〜１４のどこに入力信号が入力されているかを検出した検出結果が供給されると保存部６０に保存されている２画面組み合せ表（表１）を読み出し、入力端子１１〜１４に入力されている入力信号の中で２画面表示可能な組み合せを確認する。２画面表示可能な組み合せがあるときにＬＥＤ１Ｌ〜４Ｌの中で２画面表示可能な組み合せのＬＥＤを点灯させる。
【００５０】
操作受付部６４は、操作部６８あるいはリモコン４への操作がなされると、当該操作を受付け、制御部４０へ各種動作のトリガとなる操作信号を送る。操作部６８またはリモコン４から送信された操作信号は、操作受付部６４を介して制御部４０に入力されて保存部６０に保存されている制御プログラムを呼び出し、対応する種々の処理が実行される。
【００５１】
保存部６０は、例えば、フラッシュメモリなどのデータの書換えが可能な不揮発性メモリにより構成されている。保存部６０には、２画面組み合わせ表やプロジェクタ１の動作を指示及び制御するための様々な制御プログラムなどが記憶されている。
【００５２】
ここで表示部の構成について詳細に説明する。表示部は、ランプ、液晶表示駆動部５０であるリレーレンズ及びダイクロイックプリズム及びＲＧＢの各液晶パネル、光学系５２である投写レンズ群及びズームアクチュエータ及びフォーカスアクチュエータを含む。
【００５３】
照明装置であるランプは、例えば超高圧水銀ランプ、メタルハライドランプ、キセノンランプなどからなる。ランプは、コネクタを介してプロジェクタ１に着脱自在に取り付けられる。ランプからは、略平行光となって光が液晶表示駆動部５０に出射される。
【００５４】
液晶表示駆動部５０は、リレーレンズ、ダイクロイックプリズム及びＲＧＢの各液晶パネルとを含む。液晶表示駆動部５０では、リレーレンズを通過したランプからの光は、ＲＧＢの各液晶パネルに光量分布が均一となるように入射する。リレーレンズを介して入射された光である、青色波長帯の光（以下、「Ｂ光」と記載する）、赤色波長帯の光（以下、「Ｒ光」と記載する）、緑色波長帯の光（以下、「Ｇ光」と記載する）は、略平行光でＲＧＢの各液晶パネルに入射する。各液晶パネルは、合成部４６から与えられるＲ，Ｇ，Ｂに対応した映像信号に応じて駆動され、その駆動状態に応じて光を変調する。液晶パネルによって変調されたＲ光，Ｇ光，Ｂ光は、ダイクロイックプリズムによって色合成された後に、光学系５２によって、スクリーンＳＣ上に拡大投写される。光学系５２は、投写光をスクリーンＳＣに結像させるための投写レンズ群と、これらレンズ群の一部を光軸方向に変化させて投写映像のズーム状態及びフォーカス状態を調整するためのアクチュエータを備えている。
【００５５】
次に、２つの映像信号に基づいて２つの映像を１画面内に表示する「２画面表示モード」に関して詳細に説明する。
【００５６】
図３は、第１実施形態に係る２画面表示モードの実行時におけるプロジェクタの表示映像の一例を説明する図である。
【００５７】
図３を参照して、２画面表示モードの実行時には、表示部（液晶パネル）の表示領域１００には、２つの映像信号に基づく２つの映像（図中の映像１及び映像２に相当）が同時に表示される。同図では、映像１を表示する表示領域１１０と、映像２を表示する表示領域１１２とは、左右に並んで表示され、同じ大きさであると想定する。
【００５８】
２画面表示モードでは、合成部４６は、２つの映像が図３に示す所定のレイアウトで配置されるように、第１映像調整部４２及び第２映像調整部４４から出力される映像信号に合成処理を施す。具体的には、合成部４６は、第１映像調整部４２から出力される映像信号に基づく映像が図３の表示領域１１０に表示され、かつ、第２映像調整部４４から出力される映像信号に基づく映像が図３の表示領域１１２に表示されるように合成処理を行なう。すなわち、第１映像調整部４２は、表示領域１１０に表示される映像（映像１）の表示態様を調整することができ、第２映像調整部４４は、表示領域１１２に表示される映像（映像２）の表示態様を調整することができる。
【００５９】
表示領域１００において、映像１及び映像２の表示領域１１０及び表示領域１１２以外の領域に関しては、均一の色の特定映像（例えば黒色映像）が表示される。
【００６０】
これらの映像を光学系５２からスクリーンＳＣへ投写させることにより映像１及び映像２について２画面表示を行うことができる。
【００６１】
尚、２つの映像信号を表示する表示領域の配置は、図３のように横に並列させる態様に限定されず、縦に並列させる態様であってもよい。また、表示領域のサイズは、表示領域１１０及び表示領域１１２が異なるサイズであってもよく、表示領域１１０及び表示領域１１２が重なっていてもよい。
【００６２】
次に保存部６０に保存される２画面組み合せ表に関して以下に詳述する。以下に示す表１は、保存部６０に保存されている２画面組み合せ表の一例を示した表である。
【００６３】
【表１】
2011176717.tif 000003
【００６４】
表１は、入力端子１１〜１４から入力された入力信号の中でいずれか１つを映像として映像１に投写させるとき、入力端子１１〜１４から入力させた入力信号を映像として映像２に投写させることができるか否かを示した表である。
【００６５】
入力端子１３及び入力端子１４に入力信号を同時に入力しても図２の構成で示すように入力端子１３及び入力端子１４が共通のＡ／Ｄコンバータで信号変換することとなるので入力端子１３又は入力端子１４のどちらか一方から入力される入力信号しか投写映像として採用することができない。従って、表１に示すように映像１に入力端子１３から入力される入力映像が投写されるとき、入力端子１４に入力される入力映像を映像２に投写することができない。映像１に入力端子１４から入力される入力映像が投写されるとき、入力端子１３に入力される入力映像を映像２に投写することができない。
【００６６】
各入力端子はそれぞれ一つの入力映像しか入力することができないため、表１に示すように例えば映像１に入力端子１１に入力される入力映像が投写されるとき、映像２に入力端子１１に入力される入力映像を投写することはできない。入力端子１２〜入力端子１４に関しても同様なことから映像１と映像２に同一入力端子からの同一映像を投写することはできない。
【００６７】
（制御フロー）
図４は、２画面表示モードでプロジェクタ１から映像を投写させるときのフローチャートを示した図である。
【００６８】
図４のフローチャートの動作は、ユーザにより２画面表示モードが選択されると起動する制御の一例を示したものである。一般的にプロジェクタ１は、電源がＯＮされると投写準備のため図示しないメイン基板やランプに電圧を印加してメイン基板やランプ等をセットアップする。これらのメイン基板やランプ等のセットアップが完了すると入力信号の有無を確認し、入力信号がないときはＯＳＤメモリ６２から特定の映像（例えばブルーバックやロゴ映像）を投写する。入力信号があるときはユーザが選択した特定の入力信号に基づいてプロジェクタ１から映像の投写が行われる。
【００６９】
ユーザは、入力信号がない状態で特定の映像を投写しているときも、入力信号がある状態で入力信号に基づいてプロジェクタ１から映像が投写されているときも、操作部６８やリモコン４の操作によりメニュー画面を表示し、２画面表示モードを選択することができる。
【００７０】
以下において図４のフローチャートの動作説明を図４〜図８を用いて説明する。
【００７１】
図５〜図８は、第１実施形態に係る入力部９に配されるＬＥＤの点灯例を示した図である。
【００７２】
ユーザにより２画面表示モードが選択されると（ステップ１０）、制御部４０は、ユーザが選択した特定の入力信号に基づいてプロジェクタ１から映像の投写が行われているか否かを検知する（ステップ２０）。
【００７３】
プロジェクタ１から入力信号に基づいて映像が投写されていないとき（ブルーバックやロゴ映像が投写されているとき）は、入力信号が入力されるまで待機する（ステップ２０のＮＯ）。
【００７４】
プロジェクタ１から入力信号に基づいて映像が投写されているときは（ステップ２０のＹＥＳ）、一画面モードで投写されている入力信号（以下「メイン入力信号」と記載する）以外の入力信号（以下「サブ入力信号」と記載する）が入力されているか否か検知する（ステップ３０）。
【００７５】
サブ入力信号が入力されていないとき（ステップ３０のＮＯ）、ユーザはメイン入力信号のみを入力されて２画面表示モードを選択したことになる。この状態は、ユーザがメイン入力信号と共に２画面表示させることができる入力端子はどれであるかを確認したいという要望があるときに選択する。
【００７６】
ステップ３０のＮＯの後、制御部４０は、保存部６０に保存されている２画面組み合せ表（表１）を呼び出し、メイン入力信号に使用されていない各入力端子（空き入力端子）の中でメイン入力信号と共に２画面表示可能な入力端子を検知する（ステップ４０）。
【００７７】
制御部４０は、その検知結果に基づいてＬＥＤ１Ｌ〜４Ｌの中から２画面表示可能な入力端子のそれぞれに対応するＬＥＤを一度に点灯させることによりメイン入力信号と共に２画面表示可能な入力端子をユーザに報知する（図５参照）（ステップ５０）。
【００７８】
ステップ５０の後、ユーザがＬＥＤの報知がされた入力端子にサブ入力信号を入力したか否か入力選択部３０で検出する（ステップ６０）。サブ入力信号が検出されなかったときは、サブ入力信号が入力されるまで待機し（ステップ６０のＮＯ）、サブ入力信号が検出されたときは（ステップ６０のＹＥＳ）、メイン入力信号及びサブ入力信号を２画面表示し（ステップ１４０）、終了する（ステップ１５０）。
【００７９】
制御部４０は、サブ入力信号が入力されているとき（ステップ３０のＹＥＳ）、サブ入力信号が１入力のみか判断する（ステップ７０）。
【００８０】
サブ入力信号が１入力のみであるとき（ステップ７０のＹＥＳ）、制御部４０は、保存部６０に保存されている２画面組み合せ表（表１）を呼び出し、入力されているサブ入力信号がメイン入力信号と共に２画面表示可能かを検知する（ステップ８０）。
【００８１】
ステップ８０で２画面表示不可能であるときは、サブ入力信号の入力端子に対応するＬＥＤを点灯させず（図６の（ａ）参照）、２画面表示可能であるときは、サブ入力信号の入力端子に対応するＬＥＤを点灯させる（図６の（ｂ）参照）（ステップ９０）。
【００８２】
ステップ９０の後、ユーザはステップ９０のＬＥＤの点灯結果を確認して２画面表示させるか否かを選択する（ステップ１００）。２画面表示させないときは（ステップ１００のＮＯ）、メイン入力信号による１画面表示を維持させて終了する（ステップ５０）。２画面表示させるときは（ステップ１００のＹＥＳ）、サブ入力信号が２画面表示不可能であればメイン入力信号及び特定の映像（例えばブルーバックやロゴ映像）を２画面表示させ、サブ入力信号が２画面表示可能であればメイン入力信号及びサブ入力信号を２画面表示させ（Ｓ１４０）、終了する（Ｓ１５０）。
【００８３】
ステップ７０でサブ入力信号が１入力でなかった（サブ入力信号が２以上である）とき（ステップ７０のＮＯ）、制御部４０は、保存部６０に保存されている２画面組み合せ表（表１）を呼び出し、入力されている２以上のサブ入力信号がメイン入力信号と共に２画面表示可能かを検知する（ステップ１１０）。
【００８４】
制御部４０は、２画面表示可能な入力端子を検知するとその検知結果に基づいて２画面表示不可能なサブ入力信号の入力端子に対応するＬＥＤは点灯させずに、２画面表示可能なサブ入力信号の入力端子に対応するＬＥＤを点灯させる（図７参照）（ステップ１２０）。
【００８５】
ステップ１２０の後、制御部４０は、ステップ１１０で検出した２画面表示可能なサブ入力信号の一覧をＯＳＤ表示させて、ユーザに２画面表示させたいサブ入力信号を選択させる（ステップ１３０）。
【００８６】
ステップ１３０の後、メイン入力信号及びユーザにより選択されたサブ入力信号を２画面表示させ（ステップ１４０）、終了する（ステップ１５０）。
【００８７】
このような構成とすることにより、複数の映像を同時に表示させるとき、どの入力信号が同時に表示させることができるかを容易に把握することができる。
【００８８】
ここで本実施形態は、メイン入力信号がある状態で２画面表示させることに関して記述したがそれに限るものではない。メイン入力信号及びサブ入力信号の入力がない状態でメニュー画面の２画面表示の指示がユーザにより実行されたとき、制御部４０は、保存部６０に保存されている２画面組み合せ表（表１）を呼び出し、２画面表示可能な全ての組み合わせにおいてＬＥＤを２つずつ順次点灯させることにより、２画面表示可能な全ての組み合せをユーザに報知させてもよい（図８参照）。
【００８９】
尚、第１実施形態は、入力端子１３又は入力端子１４から入力されたＲＧＢアナログ映像信号又はＶｉｄｅｏ信号を共通のＡ／Ｄコンバータ２３でＡ／Ｄ変換したがそれに限るものではない。例えば、ＲＧＢアナログ映像信号及びＶｉｄｅｏ信号はそれぞれ独立したＡ／ＤコンバータでＡ／Ｄ変換され、ＤＶＩ信号及びＨＤＭＩ信号を共通のデジタルレシーバーで信号処理を行ってもよい。さらにＲＧＢアナログ映像信号又はＶｉｄｅｏ信号を共通のＡ／Ｄコンバータ２３でＡ／Ｄ変換し、ＤＶＩ信号及びＨＤＭＩ信号を共通のデジタルレシーバーで信号処理を行ってもよい。
【００９０】
また、２画面表示可能か否かをユーザに報知する手段として本発明はＬＥＤであると記載したがこれに限ることはなく、豆電球やその他の発光素子であってもよい。
【００９１】
[第２実施形態]
以下において、第２実施形態に関して説明する。第１実施形態は、各入力端子に対応付けられた各ＬＥＤが各入力端子の近傍に配され、各ＬＥＤを点灯させることによりユーザに２画面表示可能か否かを報知する構成とした。第２実施形態は、２画面組み合せ表をＯＳＤ表示させることによりユーザに２画面表示可能な組み合せを報知することを要旨とする。
【００９２】
以下に示す表２は、プロジェクタ１からＯＳＤ表示させる２画面組み合せ表を示した表である。これは入力端子１１〜入力端子１３に入力信号を入力し、入力端子１４に入力信号を入力しない状態での２画面組み合せ表の一例を示したものである。
【００９３】
【表２】
2011176717.tif 000004
【００９４】
表２は、表１と比較して入力信号が実際に入力されているか否かの情報（各入力端子の項目に記載）と共に入力されていない入力端子（入力端子１４）を考慮して２画面表示可能な組み合せを示していることが異なる。
【００９５】
ユーザは、各入力端子に入力信号を入力し、操作部６８又はリモコン４を操作することによりプロジェクタ１のメニュー画面から２画面表示モードを選択することにより表２をＯＳＤ表示させることができる。制御部４０は、保存部６０に保存されている２画面組み合せ表（表１）と、入力選択部３０が検出する各入力端子１１〜１４のどの入力端子に入力信号が入力されているかを検出した検出結果から  実際に入力されている入力信号の中で２画面表示可能な組み合せの２画面表示組み合わせ表（表２）を作成し、合成部４６へ供給し、スクリーンＳＣへ２画面組み合せ表の投写映像を投写させることができる。
【００９６】
このような構成にすることにより、プロジェクタ１から表２をＯＳＤ表示させることができ、ユーザは、実際に入力されている入力信号の中でどの入力信号が同時表示させることができるか容易に把握することができる。
【００９７】
尚、上述した第１実施形態及び第２実施形態では、２画面表示において複数の映像信号供給装置から入力された映像信号を切替える態様について説明したが、３つ以上の映像信号を同時に表示するマルチ画面表示においても本実施の形態を同様に適用可能である。
【００９８】
また、上述した第１実施形態及び第２実施形態では、プロジェクタとして液晶プロジェクタを採用したが、これに限定されるものではない。例えば、ＤＬＰ（Digital Light Processing）（登録商標）方式のプロジェクタ等の他の方式のプロジェクタに本発明の技術を採用してもよい。
【符号の説明】
【００９９】
１…プロジェクタ、３Ａ，３Ｂ…通信ケーブル、１Ｌ、２Ｌ、３Ｌ、４Ｌ…ＬＥＤ、４…リモコン、７Ａ，７Ｂ…伝送路、９…入力部、１１〜１４…入力端子、２１…ＤＶＩレシーバ、２２…ＨＤＭＩレシーバ、２３…Ａ／Ｄコンバータ、２４…Ｖｉｄｅｏデコーダ、３０…入力選択部、３２，３４…スケーリング部、４０…制御部、４２，４４…映像調整部、４６…合成部、５０…液晶表示駆動部、５２…光学系、６０…保存部、６２…ＯＳＤメモリ、６４…操作受付部、１００，１１０，１１２…表示領域、ＳＣ…スクリーン。
【図１】
2011176717.tif 000005
【図２】
2011176717.tif 000006
【図３】
2011176717.tif 000007
【図４】
2011176717.tif 000008
【図５】
2011176717.tif 000009
【図６】
2011176717.tif 000010
【図７】
2011176717.tif 000011
【図８】
2011176717.tif 000012